(57)【特許請求の範囲】
【請求項１】
発電機の出力が交流入力端子間に入力され、直流出力端子間にバッテリが接続される整流回路と、トリガ信号が与えられたときにオン状態になる短絡用スイッチを有して該短絡用スイッチがオン状態になったときに発電機の出力を短絡する短絡回路と、駆動信号が与えられたときにオン状態になるトリガ用スイッチを有して該トリガ用スイッチがオン状態になったときに前記短絡用スイッチにトリガ信号を与える短絡用スイッチトリガ回路と、ツェナーダイオードと前記整流回路の直流出力端子間に得られる出力電圧に相応した電圧を前記ツェナーダイオードに印加する回路とを有して前記ツェナーダイオードが導通状態になったときに前記トリガ用スイッチに駆動信号を与える駆動信号発生回路とを備えたバッテリ充電装置において、
前記駆動信号発生回路のツェナーダイオードは、そのカソードを第１の抵抗を通して前記整流回路の正極性側の直流出力端子に接続し、アノードを第２の抵抗を通して前記整流回路の負極性側の出力端子に接続した状態で設けられ、
前記整流回路の正極性側の直流出力端子と前記第２の抵抗のツェナーダイオード側の端子との間に第３の抵抗を通してコレクタエミッタ間回路が接続された帰還用トランジスタと、前記整流回路の正極性側の直流出力端子と前記帰還用トランジスタのベースとの間に接続されて前記整流回路の出力電圧により前記帰還用トランジスタのベース回路を通して充電されるコンデンサとを有して、前記帰還用トランジスタが導通している間前記整流回路の出力電流の一部を前記第３の抵抗と前記第２の抵抗とを通して前記整流回路側に帰還させるフィードバック回路が設けられ、
前記フィードバック回路の第３の抵抗を通して電流が流れている間前記ツェナーダイオードに印加される電圧が低下させられることを特徴とするバッテリ充電装置。
【請求項２】
発電機の出力が交流入力端子間に入力され、直流出力端子間にバッテリが接続される整流回路と、トリガ信号が与えられたときにオン状態になる短絡用スイッチを有して該短絡用スイッチがオン状態になったときに前記発電機の出力を短絡する短絡回路と、駆動信号が与えられたときにオン状態になるトリガ用スイッチを有して該トリガ用スイッチがオン状態になったときに前記短絡用スイッチにトリガ信号を与える短絡用スイッチトリガ回路と、ツェナーダイオードと前記整流回路の直流出力端子間に得られる出力電圧に相応した電圧を前記ツェナーダイオードに印加する回路とを有して前記ツェナーダイオードが導通状態になったときに前記トリガ用スイッチに駆動信号を与える駆動信号発生回路とを備えたバッテリ充電装置において、
前記駆動信号発生回路は、一端が前記整流回路の正極性側の直流出力端子に接続された第１の抵抗と、該第１の抵抗の他端と前記整流回路の負極性側の直流出力端子との間に接続された第２の抵抗とを更に備えていて、該第２の抵抗の両端の電圧が前記ツェナーダイオードに印加され、
前記第１の抵抗の他端と前記整流回路の負極性側の直流出力端子との間に第３の抵抗を通してコレクタエミッタ間回路が接続された帰還用トランジスタと、前記整流回路の正極性側の直流出力端子と前記帰還用トランジスタのベースとの間に接続されて前記整流回路の出力電圧により前記帰還用トランジスタのベース回路を通して充電されるコンデンサとを有して、前記帰還用トランジスタが導通している間前記整流回路の出力電流の一部を前記第３の抵抗を通して前記整流回路側に帰還させるフィードバック回路が設けられ、
前記フィードバック回路の第３の抵抗を通して電流が流れている間前記ツェナーダイオードに印加される電圧が低下させられることを特徴とするバッテリ充電装置。
【発明の詳細な説明】
【０００１】
【発明の属する技術分野】
本発明は、内燃機関等の原動機により駆動される発電機の整流出力でバッテリを充電するバッテリ充電装置に関するものである。
【０００２】
【従来の技術】
発電機を電源とした従来のバッテリ充電装置は、例えば図５に示すように構成されていた。図５に示したバッテリ充電装置１´は、発電機２とバッテリ３との間に接続されて発電機の出力が交流入力端子間に入力され、直流出力端子間にバッテリが接続される整流回路４と、トリガ信号が与えられたときにオン状態になる短絡用スイッチ５ｕ〜５ｗを有して該短絡用スイッチがオン状態になったときに発電機の出力を短絡する短絡回路と、駆動信号が与えられてオン状態になるトリガ用スイッチ６を有して該トリガ用スイッチがオン状態になったときに短絡用スイッチ５ｕ〜５ｗにトリガ信号を与える短絡用スイッチトリガ回路と、ツェナーダイオードＺＤと整流回路４の直流出力端子４ｐ，４ｎ間に得られる出力電圧に相応した電圧をツェナーダイオードＺＤに印加する回路とを有して、ツェナーダイオードＺＤが導通状態になったときにトリガ用スイッチ６に駆動信号を与える駆動信号発生回路７とを備えている。バッテリ３の両端にはスイッチ８を通して負荷９が接続される。
【０００３】
図示の発電機２は内燃機関により駆動される磁石式交流発電機で、星形結線された３相の発電コイルＬｕ〜Ｌｗを有している。
【０００４】
整流回路４は、カソードが共通接続された上辺のダイオードＤｕ〜Ｄｗと、これらのダイオードのアノードにそれぞれカソードが接続されるとともにアノードが共通接続された下辺のダイオードＤｘ〜Ｄｚとからなるダイオードブリッジ全波整流回路からなっていて、整流回路４の３相の交流入力端子４ｕ〜４ｗにそれぞれ発電機のＵないしＷ相の出力端子２ｕ〜２ｗが接続されている。
【０００５】
短絡用スイッチ５ｕ〜５ｗはそれぞれ整流回路４の下辺のダイオードＤｘ〜Ｄｚのそれぞれのカソード及びアノードにアノード及びカソードがそれぞれ接続された（ダイオードＤｘ〜Ｄｚにそれぞれ逆並列接続された）サイリスタＴｈｕ〜Ｔｈｗからなり、これらのサイリスタＴｈｕ〜Ｔｈｗと整流回路４の下辺のダイオードＤｘ〜Ｄｚとにより短絡回路が構成されている。即ち、サイリスタＴｈｕとダイオードＤｙ及びサイリスタＴｈｖとダイオードＤｘにより発電機の出力端子２ｕ，２ｖ間を短絡する短絡回路が構成され、サイリスタＴｈｕとダイオードＤｙとからなる短絡回路及びサイリスタＴｈｖとダイオードＤｘとからなる短絡回路を通して発電機のＵ，Ｖ相間の正負の半サイクルの出力が短絡される。
【０００６】
同様に、サイリスタＴｈｖとダイオードＤｚ及びサイリスタＴｈｗとダイオードＤｙにより発電機の出力端子２ｖ，２ｗ間を短絡する短絡回路が構成され、サイリスタＴｈｗとダイオードＤｘ及びサイリスタＴｈｕとダイオードＤｚにより発電機の出力端子２ｗ，２ｕ間を短絡する短絡回路が構成されている。
【０００７】
サイリスタＴｈｕ〜Ｔｈｗのゲートカソード間にはそれぞれ抵抗Ｒ１ｕ〜Ｒ１ｗの一端と抵抗Ｒ２ｕ〜Ｒ２ｗの一端とが接続され、抵抗Ｒ１ｕ〜Ｒ１ｗの他端はサイリスタＴｈｕ〜Ｔｈｗのカソードにそれぞれ接続されている。また抵抗Ｒ２ｕ〜Ｒ２ｗの他端は共通接続されている。
【０００８】
トリガ用スイッチ６は、エミッタが整流回路４の正極性側直流出力端子４ｐに接続され、コレクタが抵抗Ｒ２ｕ〜Ｒ２ｗの共通接続点に接続されたＰＮＰトランジスタＴＲ１  により構成され、このトランジスタＴＲ１  と、抵抗Ｒ１ｕ〜Ｒ１ｗ及びＲ２ｕ〜Ｒ２ｗとにより短絡用スイッチトリガ回路が構成されている。
【０００９】
またトランジスタＴＲ１  からなるトリガ用スイッチに駆動信号を与える駆動信号発生回路７は、整流回路４の正極性側の直流出力端子に一端が接続された第１の抵抗Ｒ３  と、整流回路４の負極性側の直流出力端子に一端が接続された第２の抵抗Ｒ４  と、第１の抵抗Ｒ３  の他端及び第２の抵抗Ｒ４  の他端にそれぞれカソード及びアノードが接続されて整流回路４の直流出力端子４ｐ，４ｎ間の電圧が調整電圧Ｅｆ  を超えた時にオン状態になる（ブレークダウンする）ツェナーダイオードＺＤと、第１の抵抗Ｒ３  の両端に接続されたコンデンサＣ１  とを備えていて、トランジスタＴＲ１  のベースが抵抗Ｒ３  とツェナーダイオードＺＤとの接続点に接続されている。
【００１０】
短絡用スイッチトリガ回路と、短絡用スイッチ５ｕ〜５ｗと、駆動信号発生回路７とにより、整流回路４の出力電圧を調整電圧Ｅｆ  に保つように制御するレギュレータが構成されている。
【００１１】
図５に示したバッテリ充電装置において、整流回路４の出力電圧が調整電圧Ｖｆ  よりも低い時には、ツェナーダイオードＺＤの両端に加わる電圧がツェナー電圧を超えることができないため、トランジスタＴＲ１  がオフ状態にある。そのため、サイリスタＴｈｕ〜Ｔｈｗにはトリガ信号が与えられず、これらのサイリスタ（短絡用スイッチ５ｕ〜５ｗ）は遮断状態にある。
【００１２】
発電機２が交流電圧を出力すると、該出力電圧が整流回路４により直流電圧に変換されてバッテリ３に印加される。整流回路４の出力電圧が調整電圧Ｅｆ  を超えると、ツェナーダイオードＺＤがオン状態になるため、トランジスタＴＲ１  がオン状態になり、トランジスタＴＲ１  のエミッタコレクタ間と抵抗Ｒ２ｕ〜Ｒ２ｗとを通してサイリスタＴｈｕ〜Ｔｈｗのゲートにトリガ信号が与えられる。これにより、サイリスタＴｈｕ〜Ｔｈｗのうち、アノードがカソードに対して正電位になっているサイリスタがオン状態になり、発電機２の出力端子間を短絡する。
【００１３】
図６はバッテリ３の両端の電圧（バッテリ電圧）Ｅｂ  の波形と、発電機２が出力電圧を発生しているときに整流回路４が出力する直流電圧Ｅに含まれるリップル電圧ｅ１  の一部（バッテリ電圧Ｅｂ  を超える部分）の波形とを時間ｔに対して示したものであり、同図においてＥｆ  は調整電圧を示している。
【００１４】
整流回路４からバッテリ３に印加される電圧がバッテリ電圧Ｅｂ  を超えると、整流回路４からバッテリ３に充電電流Ｉｂ  が流れ、バッテリ電圧Ｅｂ  が上昇していく。整流回路４の出力電圧が調整電圧Ｅｆ  を超えると、ツェナーダイオードＺＤがオン状態になってトランジスタＴＲ１  がオン状態になり、サイリスタＴｈｕ〜Ｔｈｗにトリガ信号が与えられるため短絡回路が働き、発電機２の出力が短絡される。これにより整流回路４の出力電圧が零になり、充電電流Ｉｂ  が遮断される。バッテリ３に負荷９が接続されているときには、充電電流が流れていない期間バッテリ電圧Ｅｂ  が低下していく。
【００１５】
図６においてＥｏ  （＝Ｉｂｍ×２×ｒ）は、整流回路４の出力端子４ｐ，４ｎとバッテリ３との間を接続する配線１０及び１１の合成抵抗２×ｒと最大値Ｉｂｍを有する充電電流Ｉｂ  とにより生じる電圧降下の最大値で、バッテリ３に印加される電圧は調整電圧Ｅｆ  よりも電圧降下Ｅｏ  分だけ低くなる。
【００１６】
【発明が解決しようとする課題】
上記のように、発電機２の出力でバッテリ充電装置４を通してバッテリ３を充電した場合、バッテリ３に印加される電圧Ｅｂ  が、充電装置１とバッテリ３との間を接続する配線１０，１１の抵抗２×ｒと、充電電流の最大値Ｉｂｍとにより生じる電圧降下分だけ充電装置の調整電圧Ｅｆ  よりも低くなるため、配線１０，１１が長く、電圧降下Ｅｏ  （＝Ｉｂｍ×２×ｒ）が大きくなる場合にバッテリ３に印加される電圧が不足して、バッテリの充電が十分に行われないという問題があった。
【００１７】
本発明の目的は、配線が長い場合にバッテリの充電が不足する状態が生じるのを防ぐことができるバッテリ充電装置を提供することにある。
【００１８】
【課題を解決するための手段】
本発明は、発電機の出力が交流入力端子間に入力され、直流出力端子間にバッテリが接続される整流回路と、トリガ信号が与えられたときにオン状態になる短絡用スイッチを有して該短絡用スイッチがオン状態になったときに発電機の出力を短絡する短絡回路と、駆動信号が与えられたときにオン状態になるトリガ用スイッチを有して該トリガ用スイッチがオン状態になったときに短絡用スイッチにトリガ信号を与える短絡用スイッチトリガ回路と、ツェナーダイオードと整流回路の直流出力端子間に得られる出力電圧に相応した電圧をツェナーダイオードに印加する回路とを有してツェナーダイオードが導通状態になったときにトリガ用スイッチに駆動信号を与える駆動信号発生回路とを備えたバッテリ充電装置を対象とする。
【００１９】
本発明においては、整流回路の出力電圧により充電されるコンデンサを備えて、整流回路の出力に含まれるリップル電圧によるコンデンサの充電が完了するまでの間整流回路の出力電流の一部を駆動信号発生回路の電圧検出回路を通して整流回路側に帰還させるフィードバック回路が設けられ、該フィードバック回路を通して電流が流れている間ツェナーダイオードに印加する電圧を低下させるように電圧検出回路が構成されている。
【００２０】
上記のように構成すると、整流回路の出力に含まれるリップル電圧がピーク値に達するまでの間調整電圧を上昇させて、整流回路とバッテリとの間を接続する配線による電圧降下分をほぼ補償することができるため、配線が長い場合にバッテリに印加される電圧が低下して充電不足が生じるのを防ぐことができる。
【００２１】
上記駆動信号発生回路のツェナーダイオードは、例えば、そのカソードを第１の抵抗を通して整流回路の正極性側の直流出力端子に接続し、アノードを第２の抵抗を通して整流回路の負極性側の出力端子に接続した状態で設けられる。
【００２２】
この場合、整流回路の正極性側直流出力端子と第２の抵抗のツェナーダイオード側の端子との間にコンデンサを接続して、該コンデンサにより、整流回路の出力に含まれるリップル電圧がピークに達するまでの間整流回路の出力電流の一部を第２の抵抗を通して整流回路側（発電機側）に帰還させるフィードバック回路を構成する。
【００２３】
このように構成すると、コンデンサの充電電流が流れている間、該充電電流により第２の抵抗の両端に生じる電圧降下分だけツェナーダイオードに印加される電圧が低下する。コンデンサの充電の完了によりフィードバック電流が遮断されると、ツェナーダイオードに印加される電圧が上昇して該ツェナーダイオードが導通状態になり、短絡用スイッチにトリガ信号が与えられる。従って、フィードバック電流による第２の抵抗の両端の電圧の降下分だけ調整電圧を上昇させて、整流回路とバッテリとの間を接続する配線による電圧降下分をほぼ補償することができ、配線が長い場合にバッテリに印加される電圧が低下して充電不足が生じるのを防ぐことができる。
【００２４】
また上記のように駆動信号発生回路のツェナーダイオードを設ける場合、フィードバック回路は、整流回路の正極性側の直流出力端子と前記第２の抵抗のツェナーダイオード側の端子との間に第３の抵抗を通してコレクタエミッタ間回路が接続された帰還用トランジスタと、整流回路の正極性側の直流出力端子と帰還用トランジスタのベースとの間に接続されて整流回路の出力電圧により帰還用トランジスタのベース回路を通して充電されるコンデンサとを有して、帰還用トランジスタが導通している間整流回路の出力電流の一部を第３の抵抗と第２の抵抗とを通して整流回路側に帰還させるように構成することができる。
【００２５】
このように構成すると、コンデンサの充電電流が流れている間、帰還用トランジスタが導通して第３の抵抗を第２の抵抗に対して直列に接続するため、該第２の抵抗を通してフィードバック電流が流れ、第２の抵抗の両端の電圧が上昇する。この第２の抵抗の両端の電圧の上昇分だけツェナーダイオードに印加される電圧が低下する。コンデンサの充電の完了によりフィードバック電流が遮断されると、ツェナーダイオードに印加される電圧が上昇して該ツェナーダイオードが導通状態になり、短絡用スイッチにトリガ信号が与えられる。従って、フィードバック電流による第２の抵抗の両端の電圧の上昇分だけ調整電圧を上昇させることができる。
【００２６】
このように構成すると、コンデンサは、帰還用トランジスタにベース電流を流すことができるものであればよく、該コンデンサとして小容量の小形のものを用いることができる。
【００２７】
上記駆動信号発生回路は、一端が整流回路の正極性側の直流出力端子に接続された第１の抵抗と、該第１の抵抗の他端と整流回路の負極性側の直流出力端子との間に接続された第２の抵抗とを備えて、該第２の抵抗の両端の電圧をツェナーダイオードに印加する構成をとる場合もある。
【００２８】
この場合には、第１の抵抗の他端と整流回路の負極性側の直流出力端子との間に第３の抵抗を通してコレクタエミッタ間回路が接続された帰還用トランジスタと、整流回路の正極性側の直流出力端子と帰還用トランジスタのベースとの間に接続されて整流回路の出力電圧により前記帰還用トランジスタのベース回路を通して充電されるコンデンサとを上記フィードバック回路に設けて、帰還用トランジスタが導通している間整流回路の出力電流の一部を第３の抵抗を通して整流回路側に帰還させるように該フィードバック回路を構成することができる。
【００２９】
このように構成すると、フィードバック回路の第３の抵抗を通して電流が流れている間ツェナーダイオードに印加される電圧を低下させて調整電圧を上昇させることができる。
【００３０】
【発明の実施の形態】
図１は、本発明に係わるバッテリ充電装置の構成例を示したもので、図１において図５に示した従来の充電装置の各部と同等の部分にはそれぞれ同一の符号を付してある。
【００３１】
図１に示したバッテリ充電装置１は、発電機２とバッテリ３との間に接続されて発電機の出力が交流入力端子間に入力され、直流出力端子間にバッテリが接続される整流回路４と、トリガ信号が与えられたときにオン状態になる短絡用スイッチ５ｕ〜５ｗを有して該短絡用スイッチがオン状態になったときに発電機の出力を短絡する短絡回路と、駆動信号が与えられてオン状態になるトリガ用スイッチ６を有して該トリガ用スイッチがオン状態になったときに短絡用スイッチ５ｕ〜５ｗにトリガ信号を与える短絡用スイッチトリガ回路と、ツェナーダイオードＺＤと整流回路４の直流出力端子４ｐ，４ｎ間に得られる出力電圧に相応した電圧をツェナーダイオードＺＤに印加する回路とを有して、ツェナーダイオードＺＤが導通状態になったときにトリガ用スイッチ６に駆動信号を与える駆動信号発生回路７とを備えている。バッテリ３の両端にはスイッチ８を通して負荷９が接続される。
【００３２】
駆動信号発生回路７は、ツェナーダイオードＺＤと、該ツェナーダイオードＺＤのカソードと整流回路４の正極性側の直流出力端子４ｐとの間に接続された第１の抵抗Ｒ３  と、ツェナーダイオードＺＤのアノードと整流回路の負極性側の直流出力端子４ｎとの間に接続された第２の抵抗Ｒ４  とからなっていて、整流回路４の出力端子間に得られる出力電圧に相応した電圧が第１の抵抗Ｒ３  及び第２の抵抗Ｒ４  を通してツェナーダイオードＺＤに印加されている。
【００３３】
図１に示した充電装置が図５に示した従来の充電装置と相違する点は、整流回路４の正極性側直流出力端子と第２の抵抗Ｒ４  のツェナーダイオードＺＤ側の端子との間にコンデンサＣｆ  が接続されて、該コンデンサＣｆ  により、整流回路４の出力に含まれるリップル電圧がピークに達するまでの間整流回路４の出力電流の一部を第２の抵抗Ｒ４  を通して整流回路４側（発電機２側）に帰還させるフィードバック回路２０が構成されている点である。その他の点は図５に示した従来の装置と同様に構成されている。
【００３４】
図１の充電装置において、図２に示すように、整流回路４からバッテリ３に印加される電圧がバッテリ電圧Ｅｂ  を超えると、整流回路４からバッテリ３に充電電流Ｉｂ  が流れ、バッテリ電圧Ｅｂ  が上昇していく。また整流回路４の出力電圧に含まれるリップル電圧がピークに達するまでの間コンデンサＣｆ  に充電電流が流れ、この充電電流が第２の抵抗Ｒ４  を通して整流回路４の負極性側の直流出力端子に帰還される。第２の抵抗Ｒ４  を通して帰還電流が流れている間該第２の抵抗Ｒ４  の両端に生じる電圧降下分だけツェナーダイオードＺＤに印加される電圧が低下し、該ツェナターダイオードＺＤが導通状態になるのを阻止する。コンデンサＣｆ  の充電が完了して帰還電流が遮断されると、ツェナーダイオードＺＤに印加される電圧が上昇して該ツェナーダイオードが導通状態になるため、トランジスタＴＲ１  が導通してサイリスタＴｈｕ〜Ｔｈｗにトリガ信号を与える。これにより発電機２の出力端子間が短絡され、整流回路４からバッテリ３への充電電流Ｉｂ  の供給が停止される。バッテリ３に負荷９が接続されていると、充電電流Ｉｂ  が流れていない期間バッテリ電圧Ｅｂ  が低下していく。
【００３５】
上記のように、コンデンサＣｆ  を設けると、整流回路４の出力に含まれるリップル電圧がピーク値に達するまでの間ツェナーダイオードＺＤの導通を阻止して調整電圧を見掛け上、正規の値Ｅｆ  からＥｆ  ´まで上昇させるため、整流回路とバッテリとの間を接続する配線１０，１１による電圧降下分をほぼ補償することができる。従って、配線１０，１１が長い場合にバッテリに印加される電圧の低下分を少なくしてバッテリの充電不足が生じるのを防ぐことができる。
【００３６】
図３は本発明に係わるバッテリ充電装置の他の構成例を示したもので、この例では、整流回路４の正極性側の直流出力端子４ｐにＰＮＰトランジスタからなる帰還用トランジスタＴＲ２  のコレクタが接続され、該帰還用トランジスタＴＲ２  のエミッタは第３の抵抗Ｒ５  を通して第２の抵抗Ｒ４  のツェナーダイオードＺＤ側の端子に接続されている。帰還用トランジスタＴＲ２  のベースと整流回路４の正極性側の直流出力端子との間に抵抗Ｒｆ  を通してコンデンサＣｆ  が接続されている。その他の点は図１に示した充電装置と同様に構成されている。
【００３７】
図３のように構成すると、コンデンサＣｆ  の充電電流が流れている間、帰還用トランジスタが導通して第３の抵抗Ｒ５  を第２の抵抗Ｒ４  に対して直列に接続するため、該第２の抵抗Ｒ４  を通してフィードバック電流が流れ、第２の抵抗Ｒ４  の両端の電圧が上昇する。この第２の抵抗の両端の電圧の上昇分だけツェナーダイオードＺＤに印加される電圧が低下する。コンデンサＣｆ  の充電の完了によりフィードバック電流が遮断されると、ツェナーダイオードＺＤに印加される電圧が上昇して該ツェナーダイオードＺＤが導通状態になり、トリガ用スイッチを構成するトランジスタＴＲ１  にベース電流が流れる。これによりトランジスタＴＲ１  が導通して短絡用スイッチを構成するサイリスタＴｈｕ〜Ｔｈｗにトリガ信号を与える。従って、フィードバック電流による第２の抵抗Ｒ４  の両端の電圧の上昇分だけ調整電圧を上昇させることができる。
【００３８】
図３に示したように構成すると、コンデンサＣｆ  は、帰還用トランジスタＴＲ２  にベース電流を流すことができるものであればよく、該コンデンサＣｆ  として小容量で小形のものを用いることができる。
【００３９】
図４は本発明に係わる充電装置の他の構成例を示したもので、この例では、トリガ用スイッチ６としてＮＰＮトランジスタＴＲ１  が用いられていて、該トランジスタＴＲ１  のコレクタが整流回路４の正極性側の直流出力端子４ｐに接続され、エミッタが抵抗Ｒ２ｕ〜Ｒ２ｗの共通接続点に接続されている。
【００４０】
また整流回路４の正極性側の直流出力端子４ｐに第１の抵抗Ｒ３  の一端が接続され、該抵抗Ｒ３  の他端と整流回路の負極性側の直流出力端子４ｎとの間に第２の抵抗Ｒ４  が接続されている。第１の抵抗Ｒ３  と第２の抵抗Ｒ４  との接続点にツェナーダイオードＺＤのカソードが接続され、該ツェナーダイオードＺＤのアノードがトランジスタＴＲ１  のベースに接続されている。
【００４１】
また第１の抵抗Ｒ３  と第２の抵抗Ｒ４  との接続点に帰還用トランジスタＴＲ２  のコレクタが接続され、該トランジスタＴＲ２  のエミッタと整流回路４の負極性側の直流出力端子４ｎとの間に第３の抵抗Ｒ５  が接続されている。帰還用トランジスタＴＲ２  のベースにはコンデンサＣｆ  の一端が接続され、該コンデンサＣｆ  の他端と整流回路４の正極性側の直流出力端子４ｐとの間に抵抗Ｒｆ  が接続されている。帰還用トランジスタＴＲ２  と抵抗Ｒ５  及びＲｆ  とコンデンサＣｆ  とにより、整流回路の出力電圧に含まれるリップル電圧がピークを迎えるまでの間整流回路の出力電流の一部を帰還用トランジスタＴＲ２  と第３の抵抗Ｒ５  とを通して整流回路２側に帰還させるフィードバック回路２０が構成されている。その他の点は図１に示した充電装置と同様である。
【００４２】
図４に示したバッテリ充電装置１においては、整流回路４の出力電圧が第１の抵抗Ｒ３  及びＲ４  からなる分圧回路により分圧されてツェナーダイオードＺＤに印加されている。整流回路４の出力電圧が調整電圧を超えるとツェナーダイオードＺＤに印加される電圧が該ツェナーダイオードのツェナー電圧を超えるため、該ツェナーダイオードＺＤが導通状態になり、トランジスタＴＲ１  が導通する。これによりサイリスタＴｈｕ〜Ｔｈｗにトリガ信号が与えられるため、これらのサイリスタのうち、アノードがカソードに対して正電位になっているサイリスタが導通して発電機２の出力端子間を短絡し、整流回路４からバッテリ３への充電電流の供給を停止させる。
【００４３】
図４に示したバッテリ充電装置においては、整流回路４の出力電圧に含まれるリップル電圧がピークに達するまでの間コンデンサＣｆ  に充電電流が流れて帰還用トランジスタＴＲ２  にベース電流が流れる。これにより帰還用トランジスタＴＲ２  が導通するため、整流回路４の出力電流の一部が帰還用トランジスタＴＲ２  と第３の抵抗Ｒ５  とを通して整流回路２側に帰還される。第３の抵抗Ｒ５  を通して帰還電流が流れている間ツェナーダイオードＺＤに印加される電圧が低下するため、ツェナーダイオードＺＤの導通が阻止される。整流回路４の出力電圧に含まれるリップル電圧がピークに達するとコンデンサＣｆ  の充電が停止するため、トランジスタＴＲ２  が遮断状態になり、ツェナーダイオードＺＤに印加される電圧がそのツェナータ電圧を超える値まで上昇する。これによりツェナーダイオードＺＤを通してトランジスタＴＲ１  にベース電流が与えられるため、該トランジスタＴＲ１  が導通してサイリスタＴｈｕ〜Ｔｈｗにトリガ信号を与え、調整動作を行わせる。
【００４４】
図４に示した例においては、トランジスタＴＲ２  と抵抗Ｒ５  及びＲｆ  とコンデンサＣｆ  とによりフィードバック回路２０を構成しているが、第２の抵抗Ｒ４  の両端にコンデンサＣｆ  を並列に接続して、該コンデンサにより、整流回路の出力電流の一部を整流回路側に帰還させるフィードバック回路を構成することもできる。このようにフィードバック回路を構成した場合には、整流回路４の出力電流の一部が第１の抵抗Ｒ３  とコンデンサＣｆ  とを通して整流回路４側にフィードバックされる。
【００４５】
【発明の効果】
以上のように、本発明によれば、整流回路の出力電圧により充電されるコンデンサを備えて、該コンデンサの充電が完了するまでの間整流回路の出力電流の一部を駆動信号発生回路の電圧検出回路を通して整流回路側に帰還させるフィードバック回路を設けて、該フィードバック回路を通して電流が流れている間ツェナーダイオードに印加する電圧を低下させるようにしたので、整流回路の出力に含まれるリップル電圧がピーク値に達するまでの間調整電圧を上昇させて、整流回路とバッテリとの間を接続する配線による電圧降下分をほぼ補償することができ、バッテリに印加される電圧が低下して充電不足が生じるのを防ぐことができる。
【図面の簡単な説明】
【図１】本発明に係わるバッテリ充電装置の構成例を示した回路図である。
【図２】図１の充電装置の各部の電圧及び電流波形を示した波形図である。
【図３】本発明に係わるバッテリ充電装置の他の構成例を示した回路図である。
【図４】本発明に係わるバッテリ充電装置の更に他の構成例を示した回路図である。
【図５】従来のバッテリ充電装置の構成例を示した回路図である。
【図６】図５の充電装置の各部の電圧及び電流波形を示した波形図である。
【符号の説明】
１…バッテリ充電装置、２…発電機、３…バッテリ、４…整流回路、５ｕ〜５ｗ…短絡用スイッチ、６…トリガ用スイッチ、７…駆動信号発生回路、ＺＤ…ツェナーダイオード、Ｃｆ  …コンデンサ、Ｒ３  …第１の抵抗、Ｒ４  …第２の抵抗、Ｒ５  …第３の抵抗。
【図１】
0003630007.tif 000002
【図２】
0003630007.tif 000003
【図３】
0003630007.tif 000004
【図４】
0003630007.tif 000005
【図５】
0003630007.tif 000006
【図６】
0003630007.tif 000007